(57)【要約】【課題】海老の背側の殻を切ると同時に背ワタ部より背側の肉を切り開き、背ワタを露出させて海老の殻剥きと背ワタの除去を容易に行える海老用鋏を提供することを課題とする。【解決手段】一対の刃体と柄部の連続体を交差軸着して構成されるか又は一対の刃体とＵ字型及びＶ字型等の形状の柄部と連続構成される鋏において、いずれか一方の刃体２の先端が先方に向かい針状に成形され且つ刃処理が施されていない尖突部３を有し、刃体２の先方に向かっての刃処理部４は尖突部３の基部までであり、該鋏を最も閉じた状態において刃処理部４が対刃体５と重なると同時に尖突部３は対刃体５と重なることが無く、尖突部３と対刃体５との間に異物を挟み捉え得る間隙６を有することを特徴とする海老用鋏１である。【選択図】図１
2006110288.tif 000002
【特許請求の範囲】
【請求項１】
一対の刃体と柄部の連続体を交差軸着して構成されるか又は一対の刃体とＵ字型及びＶ字型等の形状の柄部と連続構成される鋏において、いずれか一方の刃体の先端が先方に向かい針状に成形され且つ刃処理が施されていない尖突部を有し、該刃体の先方に向かっての刃処理部は該尖突部の基部までであり、該鋏を最も閉じた状態において該刃処理部が対刃体と重なると同時に該尖突部は該対刃体と重なることが無く、該尖突部と該対刃体との間に異物を挟み捉え得る間隙を有することを特徴とする海老用鋏。
【発明の詳細な説明】
【技術分野】
【０００１】  この発明は、海老の背側の殻及び肉を同時に切り開く海老用鋏に関する。
【背景技術】
【０００２】  従来例えばエビフライを作るなど海老を調理する際の下ごしらえとして頭部を除去した生の海老の殻を腹側から腹肢を取り除いて剥き、その後背ワタを包丁で切れ目を入れるか爪楊枝等でほじって除去している。【０００３】  またこれらの作業を効率よく行うため海老甲殻切断鋏の考案（特許文献１参照）が存在する。この考案は湾曲した細い刃で頭部を除去した海老の背ワタ部を尾まで突き刺して、そのまま対刃で甲殻を挟み切るというものである。【特許文献１】特開平１０−０７１２８２
【発明の開示】
【発明が解決しようとする課題】
【０００４】  しかしながら頭部を除去した海老の殻を手で剥く際、海老の腹肢を除去してから指で腹側を押し割るようにしながら殻を剥き、さらに背ワタを除去するために包丁で切れ目を入れたり爪楊枝等でほじったりすることは手間がかかり、面倒であった。【０００５】  特許文献１に記載されている考案においては、生の海老が曲がった形状であるとはいえ、湾曲した刃で海老の背ワタ部を尾まで一突きで達することは困難であり、またその際に海老の甲殻を突き抜けてしまうことは無いと考えられるが、当該考案の湾曲した刃は先端まで刃処理されているために海老の肉の中は自由に切りながら動くことが考えられるので海老の背ワタ部を捉えながら尾まで一突きで達することは非常に困難と考えられる。【０００６】  上記のような面倒な一連の作業を簡素化するため、また海老の背ワタ部を捉えながら尾まで一突きして、そのまま甲殻を切るという困難な作業を要する手段を図らずに、海老の背側の殻を切ると同時に背ワタ部より背側の肉を切り開き、背ワタを露出させて海老の殻剥きと背ワタの除去を容易に行える海老用鋏を提供することを課題とする。
【課題を解決するための手段】
【０００７】  以上の課題を解決するために、本発明は一対の刃体と柄部の連続体を交差軸着して構成されるか又は一対の刃体とＵ字型及びＶ字型等の形状の柄部と連続構成される鋏において、いずれか一方の刃体２の先端が先方に向かい針状に成形され且つ刃処理が施されていない尖突部３を有し、刃体２の先方に向かっての刃処理部４は尖突部３の基部までであり、該鋏を最も閉じた状態において刃処理部４は対刃体５と重なると同時に尖突部３は対刃体５と重なることが無く尖突部３と対刃体５との間に異物を挟み捉え得る間隙６を有することを特徴とする海老用鋏１である。
【発明の効果】
【０００８】  この発明によれば、頭部を除去した海老の断面の背ワタ部に本発明である海老用鋏１の尖突部３を突き刺し、刃体２及び対刃体５をもって海老の殻の背側を切り開くと、殻を剥く際に背側から剥くことができるので腹肢を障害とせず容易に行うことができる。【０００９】  その際、海老用鋏１の刃体２の先方に向かっての刃処理部４が、刃体２先端を先方に向かい針状に成形された尖突部３の基部まで達するため、海老用鋏１の尖突部３が常に海老の背ワタ部を捉えて誘導しながら殻を切り進めることができると同時に背ワタ部より背側の肉を切り開くことができるので、殻を切り終えた際、同時に背ワタを露出させることができるため、海老の殻剥きと背ワタの除去という作業を同時に且つ容易に行える。【００１０】  上記の作業を行う際、尖突部３は刃処理が施されていない針状であるために海老の肉を切ることができず、尖突部３は海老の肉内にて海老用鋏１が切り進む方向以外の方向へ移動することがないので海老の肉の破損を最小限に抑えて海老の背ワタ部を捉えて誘導することができる。【００１１】  海老用鋏１を最も閉じた状態において尖突部３と対刃体５との間に異物を挟み捉え得る間隙６が設けられているため、作業途中に海老用鋏１を完全に閉じてしまっても尖突部３と対刃体５との間には引き続き切るべき海老の背側の殻及び肉が確保されているので、海老用鋏１の刃体２と対刃体５の連続的な開閉運動による海老の背側を切り進める作業をを妨げることが無い。
【発明を実施するための最良の形態】
【００１２】  以下、本発明の実施形態を図面に基づいて説明する。
【実施例１】
【００１３】  図１（ａ）、（ｂ）及び図２は本発明の一実施形態を示す図であり、一対の刃体と柄部の連続体を交差軸着して構成されるか又は一対の刃体とＵ字型及びＶ字型等の形状の柄部と連続構成される鋏において、いずれか一方の刃体２の先端が先方に向かい針状に成形され且つ刃処理が施されていない尖突部３を有する。【００１４】  上記尖突部３は、例えばテーパーをつけて先端を尖らせるというような広範囲に解釈できる刃体先端部はテーパー角度によって海老の肉を突き通し得ない形状も含まれるので、前記形状を含まない例えば縫い針の先端のごとく一点頂の先端を有する針状もしくはこれに近似する極めて小さな球面状等の一点頂の先端を有する海老の肉を突き通し得る針状に成形されている。【００１５】  また刃処理が施されていない尖突部３とは、一般の鋏の刃体において物を挟み切るにあたる部分は鋭い角が成形され刃処理部として存在し、その先端部において刃処理が施されていないという要素を有さない先端部は当然のごとく鋭い角が成形されており、海老の肉内にて該先端部先方向及びその相反方向以外の方向へ海老の肉を切って移動することが可能であるため、前記のごとき鋭い角が形成されていない尖突部３であることをいう。すなわち尖突部３は海老の肉内にて尖突部３先方向及びその相反方向以外の方向へ移動できないものである。【００１６】  刃体２において先方に向かっての刃処理部４は尖突部３の基部までとする。刃処理部４は海老用鋏１を最も閉じた状態において対刃体５と重なるように成形されている。前記尖突部３の基部とは、該尖突部３の先端より向かって刃処理が施されていない部分の後端部をいう。【００１７】  海老用鋏１を最も閉じた状態において尖突部３は対刃体５と重ならず尖突部３と対刃体５との間に異物を挟み捉え得る間隙６を有するように成形されている。前記異物を挟み捉え得る間隙６とは、海老用鋏１を最も閉じた状態において尖突部３と対刃体５が接触せずとも尖突部３と対刃体５との間に異物が介在する場合これを挟み捉える把持力が発生し得る間隙６であることをいう。
【実施例２】
【００１８】  図３（ａ）、（ｂ）、（ｃ）に示すように本発明の他の実施形態は、刃体２において刃側端縁より段差をもって刃体２の峰側を先方に向かい針状に成形し且つ刃処理が施されていない尖突部３を有するものである。
【図面の簡単な説明】
【００１９】
【図１】（ａ）、（ｂ）は、本発明である海老用鋏１を最も閉じた状態を示す平面図である。
【図２】は、図１（ａ）に示した本発明における刃体２と対刃体５との位置関係を示す部分平面図である。
【図３】（ａ）、（ｂ）、（ｃ）は、海老用鋏１を最も閉じた状態における刃体２と対刃体５との位置関係をもって本発明の他の実施形態を示す部分平面図である。
【符号の説明】
【００２０】  １  海老用鋏  ２  刃体  ３  尖突部  ４  刃処理部  ５  対刃体  ６  間隙
【図１】
2006110288.tif 000003
【図２】
2006110288.tif 000004
【図３】
2006110288.tif 000005